(57)【要約】【課題】撮影者が意図した位置でオートフォーカスを行うことができるデジタル一眼レフカメラなどの撮像装置を提供すること。【解決手段】撮像装置は、撮像手段と、画像表示手段１９と、オートフォーカス手段３１、１０２、２０２と、オートフォーカス手段を制御する制御手段１００を具備する。撮像手段は、撮影レンズ２０６からの被写体光束が結像する撮像素子３３を含む。画像表示手段は、撮像手段によって取得した画像データを表示する。オートフォーカス手段は、選択された撮影被写界の焦点検出領域に関して撮影レンズの焦点調節を自動で行ってオートフォーカス機能を実行する。制御手段は、撮影者のマニュアル操作の後にオートフォーカス手段にオートフォーカス機能を実行させる際、マニュアル操作に係る情報に基づき撮影被写界の焦点検出領域を選択しオートフォーカス手段にオートフォーカス機能を実行させる。【選択図】図３
2010122402.tif 000002
【特許請求の範囲】
【請求項１】
撮影レンズからの被写体光束が結像する撮像素子を含む撮像手段と、
前記撮像手段によって取得した画像データを表示する画像表示手段と、
選択された撮影被写界の焦点検出領域に関して前記撮影レンズの焦点調節を自動で行ってオートフォーカス機能を実行するオートフォーカス手段と、
前記オートフォーカス手段を制御する制御手段と、
を具備した撮像装置であって、
前記制御手段は、撮影者によるマニュアル操作の後に前記オートフォーカス手段を制御して前記オートフォーカス機能を実行させる際に、前記マニュアル操作に係る情報に基づいて、前記撮影被写界の焦点検出領域を選択し前記オートフォーカス手段に前記オートフォーカス機能を実行させることを特徴とする撮像装置。
【請求項２】
前記マニュアル操作は、撮影者が前記画像表示手段上の被写体画像を観察しながら、前記撮影レンズの焦点調節を手動で行うマニュアルフォーカス操作、或い表示ボックスの選択を手動で行うマニュアル表示ボックス選択操作、或いは拡大表示領域の選択を手動で行うマニュアル拡大表示操作であることを特徴とする請求項１に記載の撮像装置。
【請求項３】
前記オートフォーカス手段は、撮影被写界の複数の焦点検出領域にて前記撮像手段ないしその等価結像面に結像する被写体像の焦点ズレ量を検出する焦点検出手段を含み、前記撮影レンズの焦点調節を前記焦点検出手段からの信号に基づいて行うオートフォーカス機能を実行することを特徴とする請求項１又は２に記載の撮像装置。
【請求項４】
前記撮影レンズからの被写体光束の経路である撮影光路内への進入及び撮影光路外への退避が自在であり、且つ撮影光路内に位置している時は被写体光束を光学ファインダ光学系に導く第１のミラー手段と、
前記第１のミラー手段と前記撮像素子との間に配置され、前記撮影光路内への進入及び撮影光路外への退避が自在であり、且つ撮影光路内に位置している時は被写体光束を前記焦点検出手段へと導く第２のミラー手段と、を有することを特徴とする請求項３に記載の撮像装置。
【請求項５】
前記オートフォーカス機能を行わせるＡＦスタート手段を有し、
前記制御手段は、前記第１のミラー手段及び前記第２のミラー手段を前記撮影光路内から退避させ、且つ前記撮像手段によって取得した画像データをスルー画として前記画像表示手段へリアルタイムに表示し、更にスルー画の一部を拡大表示することが可能であり、
前記制御手段は、前記スルー画の一部を拡大表示中に、前記ＡＦスタート手段の操作が検出された時には、前記第２のミラー手段を前記撮影光路内に進入させ、前記複数の焦点検出領域のうち前記スルー画を拡大表示した領域に最も近い焦点検出領域を選択して前記オートフォーカス手段に前記オートフォーカス機能を行わせることを特徴とする請求項４に記載の撮像装置。
【請求項６】
前記オートフォーカス機能を行わせるＡＦスタート手段を有し、
前記制御手段は、前記第１のミラー手段及び前記第２のミラー手段を前記撮影光路内から退避させ、且つ前記撮像手段によって取得した画像データをスルー画として前記画像表示手段へリアルタイムに表示することが可能であり、
前記制御手段は、前記スルー画表示状態にてマニュアルフォーカス操作が実行された後に、前記ＡＦスタート手段の操作が検出された時には、前記第２のミラー手段を前記撮影光路内に進入させ、前記複数の焦点検出領域のうち前記焦点ズレ量が最も少ない焦点検出領域を選択して前記オートフォーカス手段に前記オートフォーカス機能を行わせることを特徴とする請求項４に記載の撮像装置。
【請求項７】
前記オートフォーカス機能を行わせるＡＦスタート手段を有し、
前記制御手段は、前記第１のミラー手段及び前記第２のミラー手段を前記撮影光路内から退避させ、且つ前記撮像手段によって取得した画像データをスルー画として前記画像表示手段へリアルタイムに表示可能であり、更にスルー画と重ねて表示する表示ボックスを表示可能であり、
前記制御手段は、前記スルー画を表示中に、前記ＡＦスタート手段の操作が検出された時には、前記第２のミラー手段を前記撮影光路内に進入させ、前記複数の焦点検出領域のうち前記表示ボックスの表示内の焦点検出領域を選択して前記オートフォーカス手段に前記オートフォーカス機能を行わせることを特徴とする請求項４に記載の撮像装置。
【請求項８】
前記制御手段は、前記表示ボックスが示す範囲に対して適性となる露出演算を行うことを特徴とする請求項７に記載の撮像装置。
【発明の詳細な説明】
【技術分野】
【０００１】
本発明は、ＴＴＬ位相差ＡＦ（オートフォーカス）などが可能でスルー画表示機能を有するデジタル一眼レフカメラなどの、画像表示手段を有する撮像装置に関する。
【背景技術】
【０００２】
一般に、デジタルカメラは液晶モニタ（Ｌｉｑｕｉｄ  Ｃｒｙｓｔａｌ  Ｄｉｓｐｌａｙ：ＬＣＤ）からなる画像表示装置を具備している。そして、この液晶モニタは、主として、記録媒体に記録されている画像データを再生表示させる表示部材として用いられている。
【０００３】
ところで近年デジタルカメラは、撮影時に撮影者がフレーミングを決定するに際して、デジタルカメラの有する撮像素子により生成される画像データを順次連続的に（人間の目には動画像として映る様に）上記液晶モニタに表示させる機能を有する。これは、いわゆるスルー画表示機能（電子ビューファインダ機能とも称される）である。言い換えれば、スルー画像表示機能は、デジタルカメラの有する撮像素子が生成する画像データを常時モニタすることができる機能である。この様なスルー画像表示を行う液晶モニタは、光学ファインダの代わりとして用いることができる。
【０００４】
スルー画表示機能は、コンパクトデジタルカメラにおいては多く見受けられる。そして、近年、スルー画表示機能をデジタル一眼レフカメラに搭載させる提案も種々為されている。
【０００５】
例えば特許文献１には、光学ファインダ表示及びスルー画表示を選択的に行うことができるデジタル一眼レフカメラが開示されている。このデジタル一眼レフカメラでは、被写体光束をファインダ光学系に導く可動ミラーを撮影光路から退避させ且つフォーカルプレーンシャッタを全開状態にすることで、被写体像を撮像素子に導く。このデジタル一眼レフカメラでは、この様にして上記撮像素子にて取得した被写体像を連続的に液晶モニタに表示させることでスルー画表示を行う。そして、特許文献１に開示された方式のスルー画によれば、撮影画像とほぼ等価の画像をスルー画として確認できるという利点、及びスルー画の為の新たな部品を追加する必要がないという利点がある。
【０００６】
また、例えば特許文献２には、スルー画表示中であっても、応答速度の早いＴＴＬ位相差ＡＦを行うことができるデジタル一眼レフカメラが開示されている。このカメラでは、スルー画表示中に撮影を開始するレリーズ信号が検出されると、退避させていた可動ミラーを撮影光路内へ進入させ、被写体光束を焦点検出手段に導くことで、一般的に採用されているＴＴＬ位相差ＡＦを可能にしている。
【特許文献１】特開２００２−３６９０４２号公報
【特許文献２】特開２００７−２７９１３８号公報
【発明の開示】
【発明が解決しようとする課題】
【０００７】
しかしながら、上記特許文献１に開示されたデジタル一眼レフカメラについては、以下の様な点が指摘される。即ち、スルー画表示中には、被写体光束を光学ファインダ光学系に導く可動ミラーを、撮影光路外に退避させなければならない為、被写体光束を焦点検出（焦点検出）回路へ導くことができないという点である。従って、上記特許文献１に開示されたデジタル一眼レフカメラにおいては、スルー画表示中には、従来の一眼レフカメラで一般的に採用されているＴＴＬ位相差ＡＦを行うことができない。
【０００８】
また、上記特許文献２に開示されたデジタル一眼レフカメラは、上述した様に、スルー画表示中にレリーズ信号が検出されると、可動ミラーを撮影光路内へ進入させ、被写体光束を焦点検出手段に導く。このことで、ＴＴＬ位相差ＡＦが可能であるが、以下の様な点が指摘される。
【０００９】
この点について図１５を用いて詳細に説明する。
図１５（ａ）は公知のデジタル一眼レフカメラの背面に搭載された液晶モニタ（特許文献１における液晶モニタ１３）にスルー画が表示された状態を示している。特許文献２に開示されている様に、スルー画を表示中はＴＴＬ位相差ＡＦが不可能なため、撮影者はマニュアルフォーカスにてピント合わせを行うことになる。なお、人物６０１と木６０２と撮影者との位置関係は、木６０２の方が撮影者に近い位置に存在している。
【００１０】
図１５（ａ）において、撮影者は人物６０１に対し、マニュアルフォーカスにてピント合わせを行う。しかしながら、液晶モニタ上ではピント状態を正確に判断することは困難である。特に屋外などでは太陽光の影響で液晶モニタの画像が見えにくく、ピント状態の確認が困難な場合がある。この様な時などは、最終的にオートフォーカスにてピント合わせを行うことになる。そこで、図１５（ａ）の状態からレリーズを行うと、可動ミラーが下がりＴＴＬ位相差ＡＦを行う。
【００１１】
図１５（ｂ）はデジタルカメラの光学ファインダ６０５内を示している。ここでは、上記可動ミラーが下がったため、光学ファインダ表示を観察することが可能になった。逆に、スルー画は表示することができない状態となる。図１５（ｂ）において、６０４はカメラの設定状態を示すファインダー内液晶表示器であり、例えば、設定されているシャッター秒時や絞りの値などが表示可能である。６０３は、焦点検出可能な領域を示す焦点検出点である。当該デジタルカメラの場合、２５点の焦点検出点６０３が存在する。
【００１２】
今、ＴＴＬ位相差ＡＦが可能になったので、２５点存在する焦点検出点６０３のうちの何れかを選択してピント合わせ行うことになる。通常のデジタル一眼レフカメラが自動で焦点検出点６０３を選択する場合、最も近いものを選択する。つまり、図１５（ｂ）の場合、木６０２が最も手前にあるので、図１５（ｃ）に示す様に、焦点検出点６０３ａを選択してＴＴＬ位相差ＡＦを行うことになる。
【００１３】
この様に、図１５（ａ）で説明した通り、撮影者は人物６０１に対してピント合わせを行っていたにも関わらず、撮影者が意図しない手前の木６０２に対してピントが合うという事態が発生してしまう。こうした事態を回避するためには、撮影者自身が焦点検出点６０３を選択する方法が考えられるが、操作が煩わしいという問題が残ってしまう。
【００１４】
本発明は、上記事情に鑑みてなされたもので、次の様な撮像装置を提供することを目的とする。即ち、スルー画表示中にＴＴＬ位相差ＡＦを行う場合などを含む、撮影者によるマニュアル操作の後にオートフォーカス機能を実行させる場合に、撮影者の意思と一致した焦点検出領域を選択できるデジタル一眼レフカメラなどの撮像装置を提供する。
【課題を解決するための手段】
【００１５】
本発明の撮像装置は、撮像手段と、画像表示手段と、オートフォーカス手段と、前記オートフォーカス手段を制御する制御手段と、を具備する。前記撮像手段は、撮影レンズからの被写体光束が結像する撮像素子を含む。前記画像表示手段は、前記撮像手段によって取得した画像データを表示する。前記オートフォーカス手段は、選択された撮影被写界の焦点検出領域に関して前記撮影レンズの焦点調節を自動で行ってオートフォーカス機能を実行する。前記制御手段は、撮影者のマニュアル操作の後にオートフォーカス手段にオートフォーカス機能を実行させる際、マニュアル操作に係る情報に基づき、撮影被写界の焦点検出領域を選択しオートフォーカス手段にオートフォーカス機能を実行させる。
【発明の効果】
【００１６】
本発明の撮像装置によれば、マニュアル操作の後にオートフォーカス機能を実行する際に、マニュアル操作に係る情報に基づいて撮影者の意図を認識し、この認識を基に撮影被写界の焦点検出領域を選択してオートフォーカス機能を実行させる。従って、例えば、スルー画表示中であっても、撮影者の意図した焦点検出点において応答速度の早いＡＦであるＴＴＬ位相差ＡＦを行うことができるデジタル一眼レフカメラなどの撮像装置を提供することができる。
【発明を実施するための最良の形態】
【００１７】
以下、図面を参照して本発明の撮像装置の実施形態について、デジタル一眼レフカメラを例に説明する。本発明の撮像装置において重要なことは、次のことである。オートフォーカス（ＡＦ）手段を制御する制御手段が、マニュアル操作の後にＡＦ手段を制御してＡＦ機能を実行させる際に、マニュアル操作に係る情報に基づき、撮影被写界の焦点検出領域を選択しＡＦ手段にＡＦ機能を実行させることである。これにより、マニュアル操作に係る情報に基づいて、オートフォーカス時の主に目標とする被写体が認識されて、マニュアル操作からオートフォーカス機能の実行に移ったときに、撮影者の意図に沿った被写体にピントが合った撮影ができる様になる。
【００１８】
本発明は、ＴＴＬ位相差ＡＦを行うことができるデジタル一眼レフカメラの構成において、より効果を発揮するが、適用範囲はこれに限られない。また、ＡＦ機能を実行するＡＦ手段の被写体の結像面と撮像のための結像面が異なる構成において、何らかの工夫をしないと両者における測定領域を一致させることが容易ではないので、より効果を発揮するが、適用範囲はこれにも限られない。撮像素子へ被写体光束を導く光学系と、ＡＦ手段の光学系或いは光学ファインダ光学系とが全く異なる構成でも、これらの光学系が全部或いは一部共通する構成でも、本発明を適用することができる。前者の例としては、撮像素子へ被写体光束を導く光学系とは別個に光学ファインダ光学系が設けられたもの、撮像素子へ被写体光束を導く光学系と別個に並行してＡＦ手段の光学系が設けられたものなどがある。後者の例としては、後述する実施例の構成、撮像素子の出力を用いたコントラスト検出方式を焦点検出方式として採用する構成がある。
【００１９】
上記考え方に基づき、本発明の撮像装置の基本的な実施形態は、次の様な構成を有する。撮像装置は、撮像手段、画像表示手段、ＴＴＬ位相差方式などを用いるオートフォーカス手段、前記オートフォーカス手段を制御する制御手段を具備する。前記撮像手段は、撮影レンズからの被写体光束が結像するＣＣＤなどの撮像素子を含む。カラー液晶モニタなどの前記画像表示手段は、前記撮像手段によって取得した画像データを表示する。前記オートフォーカス手段は、選択された撮影被写界の焦点検出領域に関して前記撮影レンズの焦点調節を自動で行ってオートフォーカス機能を実行する。前記制御手段は、撮影者のマニュアル操作の後にオートフォーカス手段にオートフォーカス機能を実行させる際、マニュアル操作に係る情報に基づき、撮影被写界の焦点検出領域を選択しオートフォーカス手段にオートフォーカス機能を実行させる。
【００２０】
前記基本的な実施形態において、以下に述べる様なより具体的な実施形態が可能である。前記マニュアル操作としては、例えば、次の様なものがある。撮影者が画像表示手段上の被写体画像を観察しつつ、撮影レンズの焦点調節を手動で行うフォーカス操作、或い表示ボックスの選択を手動で行うマニュアル表示ボックス選択操作、或いは拡大表示領域の選択を手動で行う拡大表示操作である。
【００２１】
前記オートフォーカス手段は、例えば、撮影被写界の複数の焦点検出領域にて撮像手段ないしその等価結像面に結像する被写体像の焦点ズレ量を検出する焦点検出手段を含む。そして、前記撮影レンズの焦点調節を前記焦点検出手段からの信号に基づいて行うオートフォーカス機能を実行する。
【００２２】
また、撮像装置は、例えば、第１のミラー手段と第２のミラー手段を有する。前記第１のミラー手段は、撮影レンズからの被写体光束の経路である撮影光路内への進入及び撮影光路外への退避が自在であり、且つ撮影光路内に位置している時は被写体光束を光学ファインダ光学系に導く。前記第２のミラー手段は、第１のミラー手段と撮像素子との間に配置され、前記撮影光路内への進入及び撮影光路外への退避が自在であり、且つ撮影光路内に位置している時は被写体光束を焦点検出手段へと導く。
【００２３】
また、撮像装置は、例えば、前記オートフォーカス機能を行わせるＡＦスタート手段を有する。そして、前記制御手段は、第１及び第２のミラー手段を前記撮影光路内から退避させ、且つ撮像手段によって取得した画像データをスルー画として画像表示手段へリアルタイムに表示し、更にスルー画の一部を拡大表示できる。また、制御手段は、スルー画の一部を拡大表示中に、ＡＦスタート手段の操作が検出された時には、次の様にする。即ち、第２のミラー手段を撮影光路内に進入させ、前記複数の焦点検出領域のうち前記スルー画を拡大表示した領域に最も近い焦点検出領域を選択してオートフォーカス手段にオートフォーカス機能を行わせる。
【００２４】
また、撮像装置は、例えば、前記オートフォーカス機能を行わせるＡＦスタート手段を有する。そして、前記制御手段は、第１及び第２のミラー手段を前記撮影光路内から退避させ、且つ撮像手段によって取得した画像データをスルー画として画像表示手段へリアルタイムに表示することが可能である。また、制御手段は、スルー画表示状態にてマニュアルフォーカス操作が実行された後に、ＡＦスタート手段の操作が検出された時には、次の様にする。即ち、第２のミラー手段を撮影光路内に進入させ、前記複数の焦点検出領域のうち前記焦点ズレ量が最も少ない焦点検出領域を選択してオートフォーカス手段にオートフォーカス機能を行わせる。
【００２５】
また、撮像装置は、例えば、前記オートフォーカス機能を行わせるＡＦスタート手段を有する。そして、前記制御手段は、第１及び第２のミラー手段を撮影光路内から退避させ、且つ撮像手段によって取得した画像データをスルー画として画像表示手段へリアルタイムに表示可能であり、更にスルー画と重ねて表示する表示ボックスを表示できる。また、制御手段は、スルー画を表示中に、ＡＦスタート手段の操作が検出された時には、次の様にする。即ち、第２のミラー手段を撮影光路内に進入させ、前記複数の焦点検出領域のうち前記表示ボックスの表示内の焦点検出領域を選択してオートフォーカス手段にオートフォーカス機能を行わせる。この場合、前記制御手段は、例えば、前記表示ボックスが示す範囲に対して適性となる露出演算を行う。
【実施例】
【００２６】
以下、図に沿って、より具体的な実施例を説明する。
（第１実施例）
図１〜図３により、本発明を適用したデジタル一眼レフカメラに係る第１実施例を説明する。図１及び図２は本実施例のデジタル一眼レフカメラの外観を示す外観図であり、図３はデジタル一眼レフカメラの電気的構成を示すブロック図である。
【００２７】
図１はカメラを前方より見た斜視図であり、図２はカメラを背面側より見た斜視図である。図１に示す様に、本第１実施例のデジタル一眼レフカメラは、カメラ本体１と交換レンズとしての撮影レンズユニット２００とから構成されている。撮影レンズユニット２００はカメラ本体１の不図示のマウント面に着脱自在となっている。また、撮影レンズユニット２００には、マニュアルフォーカスにてピント合わせを行うためのマニュアルフォーカスリング２０５が配置されている。撮影者がマニュアルフォーカスリング２０５を回転させることで、撮影レンズユニット２００内に配置された撮影レンズ２０６（図３に図示）が駆動し、ピント合わせが可能となる（マニュアルフォーカス機能に相当する）。
【００２８】
本第１実施例では、撮影レンズユニット２００とカメラ本体１とは別体で構成され、図３に示すマウント接点２１を介して電気的に接続されている。しかしながら、上記撮影レンズユニット２００とカメラ本体１とを一体に構成することも勿論可能である。
【００２９】
カメラ本体１には、撮影時に使用者がカメラ本体１を安定して握り易い様に、前方に突出したグリップ部１ａが設けられている。レンズロック解除釦４を押し込むことで、撮影レンズユニット２００をカメラ本体１から取り外すことができる。
【００３０】
カメラ上部（正面より見て）左方には、撮影開始の起動スイッチとしてのシャッタボタン７と、撮影時の動作モードに応じてシャッタスピードやレンズ絞り値を設定するメイン操作ダイヤル８が配置されている。また、カメラの各動作モードを示すＬＣＤ表示パネル９と、撮影系の上面動作モード設定ボタン１０も配置されている。上面動作モード設定ボタン１０は、後述するシャッタボタン７の１回の押込みで連写になるか１コマのみの撮影となるかの設定やセルフ撮影モードの設定などを行うものである。ＬＣＤ表示パネル（外部液晶表示装置）９にその設定状況が表示される様になっている。
【００３１】
シャッタボタン７の第１ストロークで、図３に示すスイッチＳＷ１＿７ａがＯＮし、次の第２ストロークにて、図３に示すスイッチＳＷ２＿７ｂがＯＮする構成となっている。スイッチＳＷ１＿７ａのＯＮにより、カメラは焦点検出、撮影レンズユニット２００内に配置された撮影レンズ２０６のピント合わせ駆動等の撮影準備動作を行う。そして、スイッチＳＷ２＿７ｂのＯＮにより、被写体輝度の測光等を行い、その後、図３に示す撮像素子３３の出力に基づいて被写体像の画像データの取り込みを行う撮影動作を実行する。シャッタボタン７とスイッチＳＷ１＿７ａとからＡＦスタート手段を構成している。
【００３２】
カメラ本体１の上部中央には、カメラ本体１に対してポップアップするストロボユニット１１とフラッシュ取付け用のシュー溝１２とフラッシュ接点１３がある。カメラ上部右よりには撮影モード設定ダイヤル１４が配置されている。
【００３３】
カメラ右側面には、開閉可能な外部端子蓋１５が設けられていて、この蓋１５を開けた内部には、外部インターフェイスとしてビデオ信号出力用ジャック１６とＵＳＢ出力用コネクタ１７が納められている。
【００３４】
図２に示す様に、カメラ背面には、光軸中心の上方に光学ファインダー接眼窓１８が設けられ、更にカメラ背面中央には画像表示可能なカラー液晶モニタ１９（画像表示手段に相当する）が設けられている。カラー液晶モニタ１９の横に配置されたサブ操作ダイヤル２０は、メイン操作ダイヤル８の機能の補助的役割を担う。例えば、カメラのＡＥモードでは、自動露出装置により算出された適正露出値に対する露出補正量を設定するために使用される。また、シャッタスピードとレンズ絞り値の各々を使用者の意志によって設定するマニュアルモードにおいて、メイン操作ダイヤル８でシャッタスピードを設定し、サブ操作ダイヤル２０でレンズ絞り値を設定する。また、このサブ操作ダイヤル２０は、カラー液晶モニタ１９に表示される撮影済み画像の表示選択手段としても用いられる。
【００３５】
４３は、本デジタル一眼レフカメラの全ての動作を禁止するメインスイッチである。撮像素子３３の出力に基づいて上記カラー液晶モニタ１９に被写体像を表示するスルー画表示に切り替えるためのスルー画切り換えボタンも設けられている。スルー画切り換えボタンをＯＮ（押す）することでスルー画表示に切り換り、上記カラー液晶モニタ１９に被写体像観察用にスルー画が表示される。そして、再度ＯＮするとスルー画表示が解除される。
【００３６】
図３は、前記構成のデジタル一眼レフカメラに内蔵された電気的構成を示すブロック図であり、図１〜図２と同一のものには同一番号を付けている。
【００３７】
図３において、１００はカメラ本体１に内蔵されたマイクロコンピュータの中央処理装置（以下、ＭＰＵと記す）である。ＭＰＵ１００（制御手段に相当する）には、ミラー駆動回路１０１、焦点検出回路１０２、シャッタ駆動回路１０３、映像信号処理回路１０４、スイッチセンス回路１０５、測光回路１０６、液晶表示駆動回路１０７、が接続されている。ＭＰＵ１００は各要素及び上記回路を、予め定めた順序でシーケンシャルに制御する。
【００３８】
また、ＭＰＵ１００は、撮影レンズユニット２００内に配置されたレンズ制御回路２０１と、マウント接点２１を介して通信を行う。また、マウント接点２１は、カメラ本体１と撮影レンズユニット２００との間で制御信号、状態信号、データ信号などを伝え合うと共に、各種電圧の電流を供給する機能を有する。マウント接点２１は、電気通信のみならず、光通信、音声通信などを可能な様に構成してもよい。これによりカメラ本体１と撮影レンズユニット２００との間で通信を行い、撮影レンズユニット２００内の撮影レンズ２０６・絞り２０４の駆動を行うことが可能となる。
【００３９】
なお、本第１実施例では、便宜上１枚の撮影レンズ２０６を示しているが、撮影レンズが実際は更に多数のレンズから構成されていることは周知の通りである。
【００４０】
２０２はＡＦ（オートフォーカス）駆動回路であり、例えばステッピングモータによって構成される。ＡＦ駆動回路２０２は、ＭＰＵ１００の命令を受けたレンズ制御回路２０１の制御によって撮影レンズ２０６内のフォーカスレンズ位置を変化させることにより、固体撮像素子３３にピントを合わせる（オートフォーカス機能）。
【００４１】
２０３は絞り駆動回路であり、例えばオートアイリスなどによって構成され、ＭＰＵ１００の命令を受けたレンズ制御回路２０１の制御によって絞り２０４を変化させて光学的な絞り値を変化させる。
【００４２】
なお、前述したが、マニュアルフォーカスリング２０５を回転させても撮影レンズ２０６内のフォーカスレンズ位置を変化させることができる。これにより撮影者は、ファインダー接眼窓１８を覗いたり、カラー液晶モニタ１９のスルー画を見ながら、マニュアルによりピント合わせが可能となる（マニュアルフォーカス機能）。
【００４３】
６はメインミラーであり、撮影レンズ２００により結像される被写体像をペンタプリズム２２へ導くと共に、その一部を透過させ、後述するサブミラー３０を通して焦点検出用センサユニット３１へ導く。メインミラー６は、後述するミラー駆動回路１０１により、光学ファインダにて被写体像を観察可能とする位置と撮影時に被写体光束の光路から待避する退避位置との間で可動自在に構成されている。メインミラー６は、ミラー駆動回路１０１と共に第１のミラー手段を構成している。
【００４４】
３０は、メインミラー６の一部を透過した被写体光を反射して、焦点検出用センサユニット３１へ被写体像を導くためのサブミラーである。サブミラー３０は、メインミラー６またはメインミラー６のミラー駆動回路１０１と連動する。そして、メインミラー６が、光学ファインダで被写体像を観察可能とする位置にある時には、焦点検出用センサユニット３１へ被写体光を導く位置にあり、撮影時には被写体光束の光路から待避する退避位置にあって、両位置間で可動自在に構成されている。サブミラー３０とミラー駆動回路１０１とから第２のミラー手段を構成している。
【００４５】
３１は、結像面近傍に配置されたフィールドレンズ、反射ミラー、２次結像レンズ、絞り、複数のＣＣＤから成るラインセンサ等から構成されている周知のＴＴＬ位相差ＡＦ方式の焦点検出センサユニットである。１０１はミラー駆動回路であり、例えばＤＣモータとギヤトレインなどから構成され、ＭＰＵ１００の制御によってメインミラー６やサブミラー３０を駆動させる。
【００４６】
ここで、焦点検出センサユニット３１について図１３と図１４を用いて説明する。図１３に示す様に、これは、撮影レンズの結像面近傍に配置されたフイールドレンズ３１ａ、反射ミラー３１ｂ、３１ｃ、２次結像レンズ３１ｅ、絞り３１ｄ及び複数のＣＣＤからなるラインセンサー３１ｆ等から構成される。図３に示す焦点検出装置１０２は、後述する光学ファインダー視野内の各焦点検出領域に対応し、被写界の複数の焦点検出領域において焦点調節状態の検出を行う。
【００４７】
図１３に示す様に、撮影レンズから入射した光の一部はメインミラー６を透過し、サブミラー３０によって下方に反射される。サブミラー３０によって反射された光は、１次ピント面ｐを通り、更にフイールドレンズ３１ａ、反射ミラー３１ｂ及び絞り３１ｄを経て、メガネレンズと呼ばれる２次結像レンズ３１ｅに達し、ここで２つの像Ａ、Ｂ（図１４参照）が分離形成される。
【００４８】
この分離形成された２つの像Ａ、Ｂは、反射ミラー３１ｃにて反射され、ラインセンサーユニット３１ｆにそれぞれ投影される。ラインセンサーユニット３１ｆは、所定ピクセル数の光電変換素子（ラインセンサーＳＰＣ）が所定ピッチで配列されて構成されており、ラインセンサーユニット３１ｆに投影された２つの像Ａ、Ｂは光電変換される。これにより、図１４に示す出力が得られる。
【００４９】
この出力は、２つの像Ａ、Ｂの光量分布の相対的な位置関係、即ち光量分布のずれ量により異なり、更に光量分布のずれ量は撮影レンズ２０６の焦点調節状態により異なってくる。例えば、ラインセンサー上の素子の並び方向に、撮影レンズの予定結像面（一次ピント面）ｐからの焦点外れ量に応じた横ずれ量となって表れてくる。
【００５０】
図１４において、（ａ）は合焦状態における、（ｂ）は前ピン状態における、（ｃ）は後ピン状態におけるラインセンサー上の被写体像の状態をそれぞれ表しており、２つの被写体像の間隔が所定の値になった時、合焦と判定するものである。
【００５１】
図３の説明に戻って、２２はペンタプリズムであり、メインミラー６によって導かれた被写体像を正立正像に変換反射する光学部材である。撮影レンズ２００を通過した被写体光束は、絞り２０４を通過してメインミラー６で反射され、ペンタプリズム２２に導かれて、ファインダー接眼窓１８で被写体像が観察可能となる。更には、測光センサ３７へも導かれる。
【００５２】
上述した様に、メインミラー６を透過した光束はサブミラー３０で反射され、固体撮像素子３３面とほぼ等価な結像位置に置かれた焦点検出用センサユニット３１の検出面上で再結像される。その光像は、電気的なイメージ信号に変換されて焦点検出回路１０２に供給される。焦点検出回路１０２はＭＰＵ１００の信号に従い、焦点検出用センサユニット３１からの信号の蓄積制御と読出し制御を行って、画素情報をＭＰＵ１００へ出力する。ＭＰＵ１００は焦点検出回路１０２からの被写体像のイメージ信号に基づいて、ＴＴＬ位相差ＡＦ検出法による焦点検出演算を行う。そして、撮影レンズ２００による結像面とフィルム面等の予定結像面との差（焦点ズレ量）、即ち、デフォーカス量及びデフォーカス方向を求める。
【００５３】
更に、ＭＰＵ１００は、算出したデフォーカス量及びデフォーカス方向に基づいて、レンズ制御回路２０１とＡＦ駆動回路２０２を介して、撮影レンズ２００内のフォーカスレンズ位置を変化させ合焦位置まで駆動する。デフォーカス量が大きいほどピント（焦点）のズレ量が大きく、逆にデフォーカス量が小さいほどピントのズレ量が小さいことになる（よりピントが合っている状態）。
【００５４】
また、３２は機械式シャッタ装置であり、光学ファインダ観察時には被写体光束を遮る。機械式シャッタ装置３２は不図示の先幕と後幕とを有するフォーカルプレーンシャッタである。先幕は、撮像時にはレリーズ信号に応じて、被写体光束の光路から待避して露光を開始させる。後幕は、ファインダ観察時には被写体光束の光路から待避している一方、撮像時には先幕の走行開始後、所定のタイミングで被写体光束を遮光する。機械式シャッタ装置３２は、ＭＰＵ１００の指令を受けたシャッタ駆動回路１０３によって制御される。ここでは、先幕と後幕との両方を有している場合について説明しているが、遮蔽部材を１つだけとして、露光を開始する際は被写体光束の光路から退避し、撮影の終了後、再び被写体光束の光路を遮蔽する位置まで戻る様な構成としてもよい。
【００５５】
３３は、撮影レンズユニット２００内の撮影レンズ２０６により結像された被写体像を撮像して電気信号に変換する固体撮像素子（撮像手段）である。ここでは、固体撮像素子３３は、２次元型撮像デバイスであるＣＣＤが用いられている。撮像デバイスには、ＣＣＤ型、ＭＯＳ型、ＣＩＤ型など様々な形態があり、何れの形態の撮像デバイスを採用してもよい。本実施例においては、光電変換素子（フォトセンサ）が２次元的に配列され、各センサで蓄積された信号電荷が、垂直転送路及び水平転送路を介して出力されるインタライン型ＣＣＤ撮像素子が採用されている。
【００５６】
３４はクランプ／ＣＤＳ（相関二重サンプリング）回路であり、Ａ／Ｄ変換する前の基本的なアナログ処理を行うと共に、クランプレベルの変更も可能である。３５はＡＧＣ（自動利得調整装置）であり、Ａ／Ｄ変換する前の基本的なアナログ処理を行うと共に、ＡＧＣ基本レベルの変更も可能である。３６はＡ／Ｄ変換器であり、ＣＣＤ３３のアナログ出力信号をデジタル信号に変換する。
【００５７】
１０４は映像信号処理回路であり、デジタル化された固体撮像素子３３の画像データに対してガンマ／ニー処理、フィルタ処理、モニタ表示用の情報合成処理など、ハードウエアによる画像処理全般を担当する。この映像信号処理回路１０４からのモニタ表示用の画像データは、カラー液晶駆動回路１０９を介してカラー液晶モニタ１９に表示される。これらの機能の切換えは、ＭＰＵ１００とのデータ交換により行われ、必要に応じて固体撮像素子３３の出力信号のホワイトバランス情報をＭＰＵ１００に出力可能であり、その情報を基にＭＰＵ１００はホワイトバランス調整やゲイン調整を行う。
【００５８】
また、ＭＰＵ１００の指示により、何もせずにメモリコントローラ３８を通じて、バッファメモリ３７（内部メモリ）に画像データを保存することも可能である。また、映像信号処理回路１０４は、ＪＰＥＧなどの圧縮処理を行う機能も有している。また、連写の場合は、一旦、バッファメモリ３７に画像データを格納し、処理時間がかかる場合にメモリコントローラ３８を通して未処理の画像データを読み出す。そして、映像信号処理回路１０４で画像処理や圧縮処理を行った後、メモリ３９に順次保存していくことを行って連写スピードを稼ぐ構成となっている。
【００５９】
メモリコントローラ３８では、映像信号処理回路１０４から入力された未処理のデジタル画像データをバッファメモリ３７に格納する。そして、処理済みのデジタル画像データをメモリ３９に格納したり、或いはその逆にバッファメモリ３７やメモリ３９から画像データを映像信号処理回路１０４に出力したりする。メモリコントローラ３８は、外部インタフェース４０（図１におけるビデオ信号出力用ジャック１６、ＵＳＢ出力用コネクタ１７の相当する）から送られてくる映像をメモリ３９に記憶することを実行可能である。また、メモリ３９に記憶されている画像を外部インタフェース４０から出力することを実行可能でもある。メモリ３９は、カメラ本体１に対して取外しが可能である。
【００６０】
１０５はスイッチセンス回路であり、各スイッチの操作状態に応じて各部を制御する。７ａは、レリーズボタン７の第１ストロークによりオンするスイッチＳＷ１である。７ｂは、レリーズボタン７の第２ストロークによりオンするスイッチＳＷ２である。スイッチＳＷ２＿７ｂがオンされると、レリーズ操作が開始される。また、メイン操作ダイヤル８、サブ操作ダイヤル２０、撮影モード設定ダイヤル１４、メインスイッチ４３、スルー画切り替えボタンが接続されていて、各ＳＷの状態をＭＰＵ１００へ送信する。
【００６１】
１０６は測光回路であり、画面内の各エリアの輝度信号として、測光センサ３７からの出力をＭＰＵ１００に出力する。ＭＰＵ１００は輝度信号をＡ／Ｄ変換し、撮影の露出を算出する。
【００６２】
１０７は液晶表示駆動回路であり、ＭＰＵ１００の表示内容命令に従って、外部液晶表示装置９やファインダ内液晶表示装置４１を駆動する。液晶表示駆動回路１０７は、ＭＰＵ１００の指示により特定のセグメントを点滅表示状態にすることが可能である。４２は電源部であり、各ＩＣ（集積回路）や駆動系に必要な電源を供給する。
【００６３】
なお、本第１実施例のデジタル一眼レフカメラは、通常のデジタル一眼レフカメラと同じく、上記メインミラー６／サブミラー３０の駆動と、上記機械式シャッタ装置３２のシャッターチャージとを独立で駆動可能な構造とする。
【００６４】
次に、図４から図７を参照して、本第１実施例のデジタル一眼レフカメラにおけるスルー画モード時の動作について説明する。
【００６５】
図４のステップＳ１００にてスイッチセンス回路１０５は、スルー画切り換えボタンがＯＮ（ボタンが押されるとＯＮする）されたか否かを検出する。ＯＮされたと検出されると、スイッチセンス回路１０５は直ちにＭＰＵ１００へ出力する。そして、ＭＰＵ１００はスルー画モードへの移行を開始する。
【００６６】
ステップＳ１０１にてＭＰＵ１００はミラー駆動回路１０１を介して、メインミラー６／サブミラー３０を撮影光路内から退避させる（ミラーアップを行う）。そして、ステップＳ１０２にてＭＰＵ１００はシャッタ駆動回路１０３を介して、機械式シャッタ装置３２の先幕を走行させる。
【００６７】
次に、ステップＳ１０３にてＭＰＵ１００はスイッチセンス回路１０５を介して、撮影者が再度スルー画切り換えボタンをＯＮしたか否かを検出する。そして、ＯＮしたことが検出されたときにはステップＳ１０４へ移行して、シャッタ駆動回路１０３を介して機械式シャッタ装置３２の後幕を走行させる。その後、ステップＳ１０５にてＭＰＵ１００は、ミラー駆動回路１０１を介してメインミラー６／サブミラー３０を撮影光路内の位置へ進入させる。これと共に、シャッタ駆動回路１０３によりシャッタチャージを行い次の撮影（シャッタ駆動）に備えてスタンバイ状態とさせる。そして、ステップＳ１００へ戻ってスルー画切り換えボタンの検出を行う。
【００６８】
一方、ステップＳ１０３にてスルー画切り換えボタンがＯＮされていないと判別されたときには、ステップＳ１０６へ移行し、ＭＰＵ１００は映像信号処理回路１０４を介して固体撮像素子３３に撮像動作を実行させる。そして、ステップＳ１０７にて固体撮像素子３３から得られた電気信号（画像信号）をクランプ／ＣＤＳ回路３４・ＡＧＣ３５・Ａ／Ｄ変換器３６を介して映像信号処理回路１０４に画像データとして取り込む。また、ステップＳ１０７にて、ＭＰＵ１００は上記画像データを映像信号処理回路１０４を介して各種画像処理を行った後、カラー液晶駆動回路１０９によってカラー液晶モニタ１９に表示される。
【００６９】
ここで図６を用いてスルー画モード時の表示形態について詳細に説明する。
本第１実施例のデジタル一眼レフカメラがスルー画モードに移行すると、図６（ａ）に示す様に、上記カラー液晶モニタ１９の表示画面内にスルー画表示と共に拡大領域を示す拡大ボックス３００が表示される。図６（ａ）では被写体の画像は省略されている。
【００７０】
図６（ａ）及び（ｂ）に示す拡大ボックス３００は、図６（ａ）に示す様に、カラー液晶モニタ１９上の撮影者所望の領域へ移動可能な表示である（破線部が移動した場合の位置を示す）。従って、撮影者は、拡大表示させたい部分の画像を含む所望の領域に、上記拡大ボックス３００を重ね合わせて選択する。拡大ボックス３００の移動は、撮影者によりメイン操作ダイヤルＳＷ８及びサブ操作ダイヤルＳＷ２０の操作により行われれる。メイン操作ダイヤルＳＷ８を操作すると矢印３０４の方向へ移動し、サブ操作ダイヤルＳＷ２０を操作すると矢印３０５の方向へ移動する。即ち、撮影者によるメイン操作ダイヤルＳＷ８／サブ操作ダイヤルＳＷ２０の操作で、拡大ボックス３００は、カラー液晶モニタ１９の表示画面内の撮影者所望の位置に移動させられる。その後、撮影者により、上記マニュアルフォーカスリング２０５が操作されると、拡大ボックス３００が重ね合わされた領域の拡大表示がカラー液晶モニタ１９上に為される（図６（ｃ）参照）。
【００７１】
この様に拡大表示を行うことで主に対象とする主被写体に対して、マニュアルフォーカスが容易となる。
【００７２】
図４のステップＳ１０８に戻って、ＭＰＵ１００はスイッチセンス回路１０５を介して、メイン操作ダイヤルＳＷ８／サブ操作ダイヤルＳＷ２０の操作がなされたか否かを検出する。操作されたと検出されるとステップＳ１０９へ移行し、図６を用いて説明した通り拡大表示ボックス３００を移動させ、ステップＳ１１０へ移行する。また、ステップＳ１０８にて操作が検出されなかったときにも、ステップＳ１１０へ移行する。
【００７３】
ステップＳ１１０においてＭＰＵ１００は、レンズ制御回路２０１を介してマニュアルフォーカスリング２０５が操作されたか否かを判別する。操作されたと判別されるとステップＳ１１１へ移行し、操作されていないと判別されるとステップＳ１０８へ移行して上述した動作を繰り返す。ステップＳ１１１においてＭＰＵ１００は、映像信号処理回路１０４を介して、図６を用いて説明した通り拡大ボックス３００内の画像を拡大してカラー液晶モニタ１９へ表示する。
【００７４】
次に、ステップＳ１１２においてＭＰＵ１００は、レンズ制御回路２０１を介してマニュアルフォーカスリング２０５が操作されたか否かを検出する。そして、操作されたと検出されたときにはステップＳ１１３へ移行し、レンズ制御回路２０１はマニュアルフォーカスリング２０５が操作された量に応じて、撮影レンズユニット２００内の撮影レンズ２０６を駆動する。
【００７５】
ステップＳ１１４においてＭＰＵ１００は、スイッチセンス回路１０５を介してスイッチＳＷ１＿７ａがＯＮされたか否かを判別する。そして、ＯＮされたと判別されたときにはステップＳ１１５へ移行し、ＯＮされていないと判別されたときにはステップＳ１１２へ戻り上述した動作を繰り返す。
【００７６】
ステップＳ１１５においてＭＰＵ１００は、シャッタ駆動回路１０３を介して、機械式シャッタ装置３２の後幕を走行させる。その後、ステップＳ１１６にてＭＰＵ１００は、ミラー駆動回路１０１を介してメインミラー６／サブミラー３０を撮影光路内の位置へ進入させる。これと共に、シャッタ駆動回路１０３によりシャッタチャージを行い次の撮影（シャッタ駆動）に備えてスタンバイ状態とさせる。そして、ステップＳ１１７へ移行する。
【００７７】
次に、ステップＳ１１７では複数の焦点検出領域である焦点検出可能領域（焦点検出点とも称する）のうち、一点を選択しその後ＴＴＬ位相差ＡＦを行うことになる。ここでステップＳ１１７における焦点検出点の選択方法について、図７を用いて詳細に説明する。
【００７８】
図７はファインダー接眼窓１８を覗いたファインダ内表示の状態を示している（図４のステップＳ１１６にてメインミラー６が撮影光路内に進入したのでファインダ接眼枠１８での観察が可能となる）。図６にて説明したスルー画表示状態と同じものには同一の番号が付されている。人物３０１と木３０２の位置関係は、木３０２の方が撮影者に近い位置に存在する。
【００７９】
図７において、４１はファインダー内液晶表示器である。３０３は、焦点検出可能な領域を示す焦点検出点であり、図７（ａ）に示す様に本第１実施例のデジタル一眼レフカメラは２５点の焦点検出点３０３を備えていて、そのうちの一点を選択してＴＴＬ位相差ＡＦを行う。３００は、図６にて説明した拡大表示ボックスであり、ここでは光学式のファインダであるので実際には観察することはできないが、本実施例の説明のために図６にて表示されていた拡大表示ボックス３００に対応した位置を示している。
【００８０】
ステップＳ１１７では、図７（ｂ）に示す様に、拡大表示した領域（つまり、拡大表示ボックス３００にて選択した領域）内にある焦点検出点３０３ａを選択する。なぜなら、図６で説明した様に撮影者は人物３０１に拡大表示ボックス３００を合わせて拡大表示を行っている。即ち、人物３０１を主被写体と捉え、人物３０１に対してピント合わせを行いたいとの意図がある。この意図に従って、図７（ｂ）に示す様に拡大表示した領域内に存在する焦点検出点３０３ａを選択することで、撮影者が意図した人物３０１に対してピント合わせを行うことができる。こうして、上述した従来のデジタル一眼レフカメラの様に、撮影者に近い位置に存在する木３０２に対してピントを合わせる様な事態を回避することができる。ＭＰＵ１００は、拡大表示ボックス３００の位置に基づいて、こうした焦点検出点３０３の選択を実行する。
【００８１】
図４のステップＳ１１７に戻って、既に説明した様に焦点検出点を選択してステップＳ１１８へ移行する。ステップＳ１１８において、ＭＰＵ１００は焦点検出回路１０２を介して焦点検出センサユニット３１の動作を開始させる。この焦点検出センサユニット３１から出力されるセンサデータが焦点検出回路１０２介してＭＰＵ１００に入力される。ＭＰＵ１００は、このセンサデータに基づいて、上記選択した焦点検出点３０３ａにおける上記撮影レンズ２０６のデフォーカス量、焦点調節のための撮影レンズ２０６のレンズ駆動量及び駆動方向を算出する。
【００８２】
次に、ステップＳ１１９では、上記ステップ１１８における算出結果に基づいて、撮影レンズ２０６を駆動させる。そして、ステップＳ１２０にて上記ステップＳ１１８における算出結果を参照して、上記撮影レンズ２０６の位置が合焦の範囲内の位置にあるか否かを判別する。範囲内に入ったと判別されると撮影レンズ２０６の駆動を止めてステップＳ１２１へ移行する。
【００８３】
ステップＳ１２１においてＭＰＵ１００は、スイッチセンス回路１０５を介してスイッチＳＷ２＿７ｂがＯＮされたか否かを判別して、ＯＮされるとステップＳ１２２へ移行して『撮影処理サブルーチン』がコールされる。
【００８４】
図５を用いて『撮影処理サブルーチン』を説明をする。
図４のステップＳ１２２にて『撮影処理サブルーチン』が呼び出されると、ステップＳ２００にて測光センサ３７によって測光処理を行い、この測光処理結果が測光回路１０６に入力され、その後、ＭＰＵ１００へ出力される。ＭＰＵ１００は測光処理結果に基づいて露光量及び露光時間を演算して、ステップＳ２０１へ移行する。
【００８５】
ステップＳ２０１においてミラー駆動回路１０１は、ＭＰＵ１００の命令によりメインミラー６及びサブミラー３０を撮影光路内から退避させる（ミラーアップ位置に移動する）。また、ＭＰＵ１００は、上記ステップＳ２００にて算出された値に基づいて算出された絞り値をレンズ制御回路２０１へ送信する。そして、レンズ制御回路２０１は、送信された絞り値まで、絞り駆動回路２０３を介して絞り２０４を駆動しステップＳ２０２へ移行する。
【００８６】
ステップＳ２０２においてＭＰＵ１００は、固体撮像素子３３の電荷蓄積を開始して、ステップＳ２０３へ移行する。ステップＳ２０３においてＭＰＵ１００は、シャッタ駆動回路１０３を介して、機械式シャッタ装置３２内の不図示の先幕を駆動させ（シャッタが開く）、ステップＳ２０４において固体撮像素子３３の露光を開始する。
【００８７】
次に、ステップＳ２０５にてＭＰＵ１００は、ステップＳ２００で演算された固体撮像素子３３への露光時間が終了すると、シャッタ駆動回路１０３に命令して、機械式シャッタ装置３２内の後幕を駆動してシャッタを閉じさせる。こうして、固体撮像素子３３への露光を終了する。
【００８８】
次に、ステップＳ２０６において、絞り駆動回路２０３が絞り２０４を開放の絞り値まで駆動すると共に、メインミラー６とサブミラー３０をミラー駆動回路１０１によって撮影光路内の位置に進入させ（ミラーダウン）、ステップ２０７へ移行する。ステップＳ２０７において、シャッター駆動回路１０３は、ＭＰＵ１００の命令に従い、不図示の先幕と後幕を元の位置に戻し、ステップＳ２０８へ移行する。
【００８９】
ステップＳ２０８においてＭＰＵ１００は、固体撮像素子３３の電荷蓄積を終了させ、固体撮像素子３３から電荷信号を読み出して一連のアナログ処理を行った後、Ａ／Ｄ変換器３６にてＡ／Ｄ変換を行い、映像信号処理回路１０４に入力する。
【００９０】
次に、ステップＳ２０９において、映像信号処理回路１０４にて所定の画像処理をした後に、圧縮処理を行う。そして、ステップＳ２１０にてメモリコントローラ３８は圧縮されたデータを一旦バッファメモリ３７へ記録した後に、ステップＳ２１０にてメモリ３９へ順次記録して、『撮影処理サブルーチン』終了する。ここで、図４に戻ってステップＳ１２３へ移行する。
【００９１】
図４のステップＳ１２３では、カラー液晶駆動回路１０９を介してカラー液晶モニタ１９に表示して一連の動作が終了する。
【００９２】
本実施例の撮像装置では、撮影者による拡大表示ボックスを用いたマニュアル拡大表示操作というマニュアル操作の後にオートフォーカス機能を実行する際に、撮影者が意図する主被写体は拡大表示領域内に存在するという合理的な類推を行う。そして、制御手段は、この合理的な類推である認識を基に撮影被写界の焦点検出領域を選択してオートフォーカス機能を実行させる。従って、撮影者の意図した焦点検出点においてＡＦを行うことができる。
【００９３】
（第２実施例）
本発明の第２実施例のデジタル一眼レフカメラを説明する。本実施例の基本的な構成は第１実施例のデジタル一眼レフカメラと同じ（図１〜図３）であるので、ここでの説明は省略して、以下、図８及び図９を参照して第２実施例のデジタル一眼レフカメラのスルー画モードの動作について説明する。
【００９４】
図８において、ステップＳ３００〜ステップＳ３０７の動作は、図４にて説明したステップＳ１００〜ステップＳ１０７の動作と同一のため、ここでの説明は省略する。
【００９５】
ステップＳ３０８においてＭＰＵ１００は、撮影レンズユニット２００内のレンズ制御回路２０１を介してマニュアルフォーカスリング２０５が操作されたか否かを判別する。操作されたと判別されるとステップＳ３０９へ移行し、レンズ制御回路２０１はマニュアルフォーカスリング２０５が操作された量に応じて、撮影レンズユニット２００内の撮影レンズ２０６を駆動する。
【００９６】
次に、ステップＳ３１０においてＭＰＵ１００は、スイッチセンス回路１０５を介してスイッチＳＷ１＿７ａがＯＮされたか否かを判別する。そして、ＯＮされたと判別されたときにはステップＳ３１１へ移行し、ＯＮされていないと判別されたときにはステップＳ３０８へ戻り上述した動作を繰り返す。
【００９７】
ステップＳ３１１及びステップＳ３１２は既に説明したステップＳ１１５とステップＳ１１６と同一の動作のため、ここでの説明は省略する。
【００９８】
次に、ステップＳ３１３の焦点検出点選択について、図９を用いて説明する。
図９（ａ）は、カラー液晶モニタ１９にスルー画が表示されている状態を示している。このスルー画を見ながら撮影者は主被写体に対してマニュアルフォーカスにてピント合わせを行う（図８のステップＳ３０８の動作）。この場合は、人物４０１に対してピント合わせを行ったものとする。ただし、特に屋外などでは明るいため液晶表示を見ながらのピント合わせは困難であり、正確にピント合わせを行いたい時にはオートフォーカスに頼る他ないことがある。そこで、図８のステップＳ３１０にてスイッチＳＷ＿７ａを押してＴＴＬ位相差ＡＦを行う。ここでも、人物４０１と木４０２の位置関係は、木４０２の方が撮影者に近い位置に存在するとする。
【００９９】
図９（ｂ）は、ファインダー接眼窓１８を覗いた時のファインダ内表示の状態を示している（図８のステップＳ３１２にてメインミラー６が撮影光路内に進入したのでファインダ接眼枠１８での観察が可能となる）。図９（ｂ）において、４１はファインダー内液晶表示器である。４０３は焦点検出可能な領域を示す焦点検出点であり、本第２実施例のデジタル一眼レフカメラは２５点の焦点検出点４０３を備えていて、そのうちの一点を選択してＴＴＬ位相差ＡＦを行う。
【０１００】
しかし、この状態では既に主被写体である人物４０１に対して撮影者によるマニュアルフォーカスによるピント合わせが或る程度行われている（図８のステップＳ３０８の動作）。従って、焦点検出センサユニット３１を駆動させて焦点検出回路１０２の出力結果からＭＰＵ１００が各焦点検出点のデフォーカス量（ピントのズレ量）を算出すると、人物４０１の位置の焦点検出点４０３ａが最もデフォーカス量が小さい焦点検出点となる。よって、ＭＰＵ１００は、この焦点検出点を選択する（図９（ｃ）参照）。
【０１０１】
この様に、ＭＰＵ１００は、マニュアルフォーカスにてピント合わせを行った位置の焦点検出点４０３ａを選択するので、撮影者が意図した位置でのＴＴＬ位相差ＡＦが可能となる。従って、従来の様に撮影者に近い木４０２に対してピント合わせを行ってしまう様な事態を回避することができる。
【０１０２】
図８のステップＳ３１３に戻って、上述した様に焦点検出点の選択が終了するとステップＳ３１４へ移行する。ステップＳ３１４〜ステップＳ３１９までの動作は図４のステップＳ１１８〜ステップ１２３の動作と同一のため、ここでの詳しい説明は省略する。ここでも、ステップＳ３１６にてステップＳ３１４における算出結果を参照して、撮影レンズ２０６の位置が合焦の範囲内の位置にあるか否かを判別し、範囲内に入ったと判別されると、撮影レンズ２０６の駆動を止めてステップＳ３１７へ移行する。
【０１０３】
本実施例の撮像装置では、撮影者によるスルー画を見ながらのマニュアルフォーカス操作というマニュアル操作の後にオートフォーカス機能を実行する際に、撮影者が意図する主被写体はピント合わせをしたものという合理的な類推を行う。そして、制御手段は、この合理的な類推である認識を基に撮影被写界の焦点検出領域を選択してオートフォーカス機能を実行させる。従って、撮影者の意図した焦点検出点においてＡＦを行うことができる。
【０１０４】
（第３実施例）
本発明の第３実施例のデジタル一眼レフカメラを説明する。本実施例も、基本的な構成は第１実施例のデジタル一眼レフカメラと同じ（図１〜図３）であるので、ここでの説明は省略して、以下、図１０〜図１２を参照にして第３実施例のデジタル一眼レフカメラのスルー画モードの動作について説明する。
【０１０５】
図１０において、ステップＳ４００〜ステップＳ４０７までの動作は、図４にて説明したステップＳ１００〜ステップＳ１０７までの動作と同一なので、ここでの説明は省略する。
【０１０６】
図１０のステップＳ４０８のダイヤル操作及びスルー画モード時の表示形態について図１１を用いて説明する。本実施例のデジタル一眼レフカメラがスルー画モードに移行すると、図１１（ａ）に示す様に、上記カラー液晶モニタ１９の表示画面内にスルー画表示と共に測光領域を示す測光領域ボックス５００（表示ボックスに相当する）が表示される。図１１（ａ）では被写体の画像は省略されている。
【０１０７】
図１１（ａ）及び（ｂ）に示す測光領域ボックス５００は、図１１（ａ）に示す様に、上記カラー液晶モニタ１９上の撮影者所望の領域へ移動可能な表示である。従って、撮影者は、主被写体として適切な露出としたい部分の画像を含む所望の領域に、上記測光領域ボックス５００を重ね合わせて選択する。測光領域ボックス５００の移動は、撮影者によりメイン操作ダイヤルＳＷ８及びサブ操作ダイヤルＳＷ２０の操作により行われる。メイン操作ダイヤルＳＷ８を操作すると矢印５０４の方向へ移動し、サブ操作ダイヤルＳＷ２０を操作すると矢印５０５の方向へ移動する。即ち、撮影者によるメイン操作ダイヤルＳＷ８／サブ操作ダイヤルＳＷ２０の操作で、測光領域ボックス５００は、カラー液晶モニタ１９の表示画面内の撮影者所望の位置に移動させられる。
【０１０８】
ステップＳ４０９において、図１１（ｂ）の様に人物５０１の顔の部分に測光領域ボックス５００を合わせると、人物５０１の顔の部分の露出が適正となるよう測光演算が行われる。
【０１０９】
図１０に戻り、ステップＳ４１０〜ステップＳ４１４の動作は、ステップＳ１１２〜ステップＳ１１６と同一の動作のため、ここでの説明は省略する。
【０１１０】
次に、ステップＳ４１５の焦点検出点選択方法について、図１２を用いて詳細に説明する。図１２は、ファインダー接眼窓１８を覗いたファインダ内表示の状態を示している。図１１にて説明したスルー画表示状態と同じものには同一の番号が付されている。ここでも、人物５０１と木５０２の位置関係は、木５０２の方が撮影者に近い位置に存在するとする。
【０１１１】
図１２において、４１はファインダー内液晶表示器である。５０３は焦点検出可能な領域を示す焦点検出点であり、本第３実施例のデジタル一眼レフカメラは２５点の焦点検出点５０３を備えていて、そのうちの一点を選択してＴＴＬ位相差ＡＦを行う。５００は、図１１にて説明した測光領域ボックスであり、光学式のファインダでは実際には見ることができないが、本実施例の説明のために表示していて、図１１にて表示されていた測光領域ボックス５００に対応した位置を示している。
【０１１２】
図１１の様にカラー液晶モニタ１９に表示されているスルー画を見ながら、撮影者は主被写体に対してマニュアルフォーカスにてピント合わせを行う（図１０のステップＳ４１０の動作）。この場合は、人物５０１に対してピント合わせを行ったものとする。ただし、特に屋外などでは太陽光の影響などで液晶表示を見ながらのピント合わせは困難であり、最終的に正確なピント合わせを行いたい時にはオートフォーカスに頼る他ないことがある。そこで、図１０のステップＳ４１２にてスイッチＳＷ＿７ａをＯＮしてＴＴＬ位相差ＡＦを行う。
【０１１３】
スイッチＳＷ＿７ａがＯＮされるとメインミラー６とサブミラー３０が撮影光路内に進入する（図１０におけるＳ４１４の動作）。メインミラー６が進入したことでファインダ１８内を観察することができる様になり、図１２の表示を見ることができる。
【０１１４】
図１２（ａ）に示す通り本第３実施例のデジタル一眼レフカメラは焦点検出可能領域（焦点検出点）が２５点あり、この中から一点を選択してＴＴＬ位相差ＡＦを行う。図１０のステップＳ４０９で説明した通り、撮影者は主被写体（この場合は人物５０１）に対して適正な露光を得るために、測光領域ボックス５００を主被写体（人物５０１）に対して合わせている。つまり、ピント合わせも主被写体である人物５０１に合わせることが望ましい。
【０１１５】
そこで、本実施例では測光領域ボックス５００に対応した位置の焦点検出点を選択する様に構成されている。つまり、図１２（ａ）の場合、５０３ａの焦点検出点を選択して、図１２（ｂ）の状態となる。
【０１１６】
また、仮に測光領域ボックス５００に焦点検出点５０３ａが存在せず、図１２（ａ）に示す焦点検出点５０３ｂや焦点検出点５０３ｃだけのとき、この場合は焦点検出点５０３ｃを選択する。つまり、測光領域ボックス５００内で最も多くの面積を占めている焦点検出点５０３ｃを選択する様に構成されている。
【０１１７】
この様に、ＭＰＵ１００は、撮影者が主被写体とした位置の焦点検出点を選択するので、撮影者が意図した位置でのＴＴＬ位相差ＡＦが可能となる。従って、従来の様に撮影者に近い木５０２に対してピント合わせを行ってしまう様な事態を回避することができる。
【０１１８】
図１０のステップＳ４１５に戻って、上述した様に焦点検出点の選択が終了するとステップＳ４１６へ移行する。ステップＳ４１６〜ステップＳ４２１の動作は、図４のステップＳ１１８〜ステップＳ１２３と同一の動作のため、ここでの説明は省略する。
【０１１９】
本実施例の撮像装置では、撮影者が表示ボックス（測光領域ボックスなど）の選択を手動で行うマニュアル操作の後にオートフォーカス機能を実行する際に、撮影者が意図する主被写体は表示ボックス近辺にあるという合理的な類推を行う。そして、制御手段は、この合理的な類推である認識を基に撮影被写界の焦点検出領域を選択してオートフォーカス機能を実行させる。従って、撮影者の意図した焦点検出点においてＡＦを行うことができる。
【図面の簡単な説明】
【０１２０】
【図１】本発明の第１実施例のデジタル一眼レフカメラの外観前面斜視図である。
【図２】本発明の第１実施例のデジタル一眼レフカメラの外観背面斜視図である。
【図３】本発明の第１実施例のデジタル一眼レフカメラの全体構成を示すブロック図である。
【図４】本発明の第１実施例のデジタル一眼レフカメラにおけるスルー画モードの動作制御を示すフローチャート図である。
【図５】本発明の第１実施例のデジタル一眼レフカメラにおける撮影処理の動作制御を示すフローチャート図である。
【図６】本発明の第１実施例のデジタル一眼レフカメラにおけるスルー画モード時のカラー液晶モニタへの表示状態を示す図である。
【図７】本発明の第１実施例のデジタル一眼レフカメラにおける焦点検出点選択時のファインダー内の表示を示す図である。
【図８】本発明の第２実施例のデジタル一眼レフカメラにおけるスルー画モードの動作制御を示すフローチャート図である。
【図９】本発明の第２実施例のデジタル一眼レフカメラにおけるスルー画モード時のカラー液晶モニタへの表示状態と焦点検出点選択時のファインダー内の表示を示す図である。
【図１０】本発明の第３実施例のデジタル一眼レフカメラにおけるスルー画モードの動作制御を示すフローチャート図である。
【図１１】本発明の第３実施例のデジタル一眼レフカメラにおけるスルー画モード時のカラー液晶モニタへの表示状態を示す図である。
【図１２】本発明の第３実施例のデジタル一眼レフカメラにおける焦点検出点選択時のファインダー内の表示を示す図である。
【図１３】撮像装置内のＴＴＬ位相差方式の焦点検出センサユニットを示す図である。
【図１４】図１３の焦点検出センサユニットの動作を説明する図である。
【図１５】従来のデジタル一眼レフカメラにおける焦点検出点選択時のファインダー内の表示を示す図である。
【符号の説明】
【０１２１】
１：カメラ本体
６：メインミラー（第１のミラー手段）
７：レリーズボタン
７ａ：ＡＦスタート手段
１９：カラー液晶モニタ（画像表示手段）
２２：ペンタプリズム（ファインダ光学系）
３０：サブミラー（第２のミラー手段）
３１：焦点検出センサユニット（焦点検出手段、オートフォーカス手段）
３３：固体撮像素子（撮像素子、撮像手段）
１００：マイクロコンピュータ（制御手段）
１０１：ミラー駆動回路
１０２：焦点検出回路（オートフォーカス手段）
１０３：シャッタ駆動回路
２００：撮影レンズユニット
２０１：レンズ制御回路
２０２：ＡＦ駆動回路（オートフォーカス手段）
２０３：絞り駆動回路
２０６：撮影レンズ
２０７：マニュアルフォーカスリング
３００：拡大ボックス
３０３、４０３、５０３：焦点検出領域
５００：測光領域ボックス（表示ボックス）
【図１】
2010122402.tif 000003
【図２】
2010122402.tif 000004
【図３】
2010122402.tif 000005
【図４】
2010122402.tif 000006
【図５】
2010122402.tif 000007
【図６】
2010122402.tif 000008
【図７】
2010122402.tif 000009
【図８】
2010122402.tif 000010
【図９】
2010122402.tif 000011
【図１０】
2010122402.tif 000012
【図１１】
2010122402.tif 000013
【図１２】
2010122402.tif 000014
【図１３】
2010122402.tif 000015
【図１４】
2010122402.tif 000016
【図１５】
2010122402.tif 000017